(57)【特許請求の範囲】
【請求項１】
顧客が獲得した点数である獲得点数と引換えに当該顧客に貴金属地金の景品を提供する事業者を支援する景品提供支援システムであって、
前記事業者が使用する第一のシステムと、前記事業者に対して前記景品を販売する第二の事業者が使用する第二のシステムと、によって構成され、
前記第二のシステムは、
前記景品を前記第二の事業者が販売する際の販売価格が決まるごとに当該販売価格を入力するための価格入力手段と、
前記販売価格が入力されるごとに、当該入力された販売価格を前記第一のシステムに通知する価格通知手段と、を有し、
前記第一のシステムは、
前記販売価格が前記第二のシステムから通知されるごとに、当該通知された販売価格に基づいて、前記景品との引換えのために必要な点数を算出する、必要点数算出手段と、
前記必要な点数が算出されるごとに、当該算出された必要な点数を、景品交換用のＰＯＳ端末に適用させる、適用処理手段と、を有する、
ことを特徴とする景品提供支援システム。
【請求項２】
前記事業者の店舗のフロアごとに、当該フロアにおける単位点数当たりの価値を記憶する、点数価値記憶手段、を有し、
前記必要点数算出手段は、前記フロアごとに、当該フロアにおける前記価値に基づいて前記必要な点数を算出し、
前記適用処理手段は、前記ＰＯＳ端末に、当該ＰＯＳ端末の設置されている前記フロアについて算出された前記必要な点数を、適用させる、
請求項１記載の景品提供支援システム。
【請求項３】
顧客が獲得した点数である獲得点数と引換えに当該顧客に景品を提供する事業者を支援する景品提供事業者支援システムであって、
前記事業者に前記景品を販売する第二の事業者の第二のシステムから、前記景品を前記第二の事業者が販売する際の販売価格が決まるごとに、当該販売価格を受信する価格受信手段と、
前記販売価格が受信されるごとに、当該受信された販売価格に基づいて、前記景品との引換えのために必要な点数を算出する、必要点数算出手段と、
前記必要な点数が算出されるごとに、当該算出された必要な点数を、景品交換用のＰＯＳ端末に適用させる、適用処理手段と、
を有することを特徴とする景品提供事業者支援システム。
【請求項４】
顧客が獲得した点数である獲得点数と引換えに当該顧客に景品を提供する事業者を支援する景品提供支援方法であって、
前記景品を前記事業者に対して第二の事業者が販売する際の販売価格が決まるごとに、当該販売価格の入力を、当該第二の事業者が使用する第二のシステムに受け付けさせ、
前記販売価格が入力されるごとに、当該入力された販売価格を、当該事業者が使用する第一のシステムに通知する処理を、前記第二のシステムに実行させ、
前記第二のシステムから前記販売価格が通知されるごとに、当該通知された販売価格に基づいて、前記景品との引換えのために必要な点数を算出する処理を、前記第一のシステムに実行させ、
前記必要な点数を算出するごとに、当該算出した必要な点数を、景品交換用のＰＯＳ端末に適用する処理を、前記第一のシステムに実行させる、
ことを特徴とする景品提供支援方法。
【請求項５】
顧客が獲得した点数である獲得点数と引換えに当該顧客に景品を提供する事業者を支援するためのコンピュータに用いられるコンピュータプログラムであって、
前記事業者に前記景品を販売する第二の事業者の第二のシステムから、前記景品を前記第二の事業者が販売する際の販売価格が決まるごとに、当該販売価格を受信する処理を、前記コンピュータに実行させ、
前記販売価格を受信するごとに、当該受信した販売価格に基づいて、前記景品との引換えのために必要な点数を算出する処理を、前記コンピュータに実行させ、
前記必要な点数を算出するごとに、当該算出した必要な点数を、景品交換用のＰＯＳ端末に適用させる処理を、前記コンピュータに実行させる、
を実行させるためのコンピュータプログラム。
【発明の詳細な説明】
【技術分野】
【０００１】
本発明は、顧客が獲得した点数と引換えに当該顧客に景品を提供する事業者を支援するシステムおよび方法などに関する。
【背景技術】
【０００２】
従来、クレジットカード会社、航空会社、および百貨店などの事業者は、自社のサービスを利用してくれた顧客に対して取引金額などに応じて点（ポイント）を与える。そして、顧客が獲得した点数に応じて顧客に景品を提供する。また、パチンコ店を経営する事業者も同様に、顧客が獲得した点数に応じて景品を提供する。
【０００３】
近年、消費者のニーズが多様化しており、上記のような事業者は、様々な景品を用意している。例えば、鞄、香水、時計、またはアクセサリなどのブランド品、タバコまたはコーヒなどの嗜好品、食器または日用雑貨などの実用品など、様々な景品を用意している。
【０００４】
また、金、銀、または白金などの貴金属地金に興味を持つ消費者が増えている。特許文献１に記載されるように、貴金属地金の小塊を埋め込んだ安価なプラスチックカードが記念品や贈答品として手軽に広く用いられている。よって、今後、貴金属地金を含有する景品が盛んに用いられるようになることが、考えられる。
【特許文献１】特許第２９０５２５２号公報
【発明の開示】
【発明が解決しようとする課題】
【０００５】
ところで、上記のブランド品は、輸入品であることが多い。輸入品は、為替相場の変動に伴って日本円価格がしばしば変動する。また、上記のプラスチックカードは、貴金属地金の相場の変動に伴って、価格がしばしば変動する。
【０００６】
このように、点数との交換に用いられる景品の中には、価格が変動しやすいものがある。価格が変動しやすい景品と点数との交換のレートを固定的にしていると、事業者または顧客のどちらかにとって不利益になる場合がある。
【０００７】
そこで、事業者が随時、自らのシステムに設定されている交換のレートを変更することが、考えられる。しかし、上記の通り、景品の品数が増加しているので、交換のレートを変更する作業を逐一行うことは、事業者にとって面倒である。また、今後、景品の品数がますます増加すると、作業ミスを生じるようになるかもしれない。
【０００８】
本発明は、このような問題点に鑑み、顧客が獲得した点数と引換えに景品を提供する事業者にとって、点数と景品との交換のレートの変更を簡単に行うことができるようにすることを、目的とする。
【課題を解決するための手段】
【０００９】
本発明に係る景品提供支援システムは、顧客が獲得した点数である獲得点数と引換えに当該顧客に貴金属地金の景品を提供する事業者を支援する景品提供支援システムであって、前記事業者が使用する第一のシステムと、前記事業者に対して前記景品を販売する第二の事業者が使用する第二のシステムと、によって構成され、前記第二のシステムは、前記景品を前記第二の事業者が販売する際の販売価格が決まるごとに当該販売価格を入力するための価格入力手段と、前記販売価格が入力されるごとに、当該入力された販売価格を前記第一のシステムに通知する価格通知手段と、を有し、前記第一のシステムは、前記販売価格が前記第二のシステムから通知されるごとに、当該通知された販売価格に基づいて、前記景品との引換えのために必要な点数を算出する、必要点数算出手段と、前記必要な点数が算出されるごとに、当該算出された必要な点数を、景品交換用のＰＯＳ端末に適用させる、適用処理手段と、を有する。
【００１１】
または、前記事業者の店舗のフロアごとに、当該フロアにおける単位点数当たりの価値を記憶する、点数価値記憶手段、を有し、前記必要点数算出手段は、前記フロアごとに、当該フロアにおける前記価値に基づいて前記必要な点数を算出し、前記適用処理手段は、前記ＰＯＳ端末に、当該ＰＯＳ端末の設置されている前記フロアについて算出された前記必要な点数を、適用させる。または、前記販売価格として、貴金属地金を含む景品の販売価格が前記価格入力手段によって入力される。
【発明の効果】
【００１２】
本発明によると、顧客が獲得した点数と引換えに景品を提供する事業者にとって、点数と景品との交換のレートの変更を簡単に行うことができる。
【発明を実施するための最良の形態】
【００１３】
図１は景品交換支援システムＫＳＹの全体的な構成の例を示す図である。
【００１４】
図１に示すように、本発明に係る景品提供支援システムＫＳＹは、データセンタシステム１、店舗システム２（２１、２２、２３、…）、および通信回線ＮＷなどによって構成される。景品提供支援システムＫＳＹと各店舗システム２とは、通信回線ＮＷを介して互いに接続可能である。通信回線ＮＷとして、インターネット、公衆回線、または専用回線などが用いられる。
【００１５】
景品提供支援システムＫＳＹは、顧客が獲得した点数（ポイント数）に応じて、店舗が顧客に対して景品を提供するための支援を行うシステムである。
【００１６】
データセンタシステム１は、販売レートファイル配信サーバ１１、販売レートデータ入力端末１２、ハブ１Ｈ、およびルータ１Ｒなどによって構成される。ルータ１Ｒは、データセンタシステム１と外部のネットワークとを接続する。ハブ１Ｈは、ルータ１Ｒ、販売レートファイル配信サーバ１１、および販売レートデータ入力端末１２同士を接続する。
【００１７】
データセンタシステム１は、景品またはそれに含まれる物の所定の単位当たりの販売価格の情報を取得し、各店舗に対して通知するためのシステムである。例えば、ある特定の鞄の１つ当たりの販売価格、ある特定の菓子１ダース当たりの販売価格、またはある特定の比率の成分の貴金属地金（例えば、２４金（gold）の地金）１グラム当たりの販売価格などの情報を取得し通知する。以下、景品またはそれに含まれる物の所定の単位当たりの販売価格を「販売レート」と記載する。
【００１８】
店舗システム２は、販売レートの情報をデータセンタシステム１から提供してもらう店舗ごとに１組ずつ設けられている。
【００１９】
店舗システム２は、店舗クライアント２Ａ、１つまたは複数のフロアネットワークＦＬ、ハブ２Ｈ、およびルータ２Ｒなどによって構成される。ルータ２Ｒは、店舗システム２と外部のネットワークとを接続する。ハブ２Ｈは、ルータ２Ｒ、店舗クライアント２Ａ、およびフロアネットワークＦＬ同士を接続する。
【００２０】
フロアネットワークＦＬは、ＰＯＳ（Point of Sales）上位装置３Ａ、１台または複数台のＰＯＳ端末３Ｂ、およびルータ３Ｒなどによって構成されるＬＡＮ（Local Area Network）であって、店舗内のフロアごとに１組ずつ設けられている。例えば、店舗Ｔ１は、第１フロア〜第４フロアの４つのフロアを有しているので、４つのフロアネットワークＦＬを有している。店舗の店員は、自分が担当するフロアのＰＯＳ端末３Ｂを使用することによって、顧客が獲得した点数と引換えに、顧客に景品を渡す業務を行う。
【００２１】
図２は販売レートファイル配信サーバ１１の機能的構成の例を示す図、図３は店舗クライアント２ＡおよびＰＯＳ上位装置３Ａの機能的構成の例を示す図、図４は標準交換レートファイル５ＨＫの例を示す図、図５はフロア別点数価値ファイル５ＦＢの例を示す図、図６は当日交換レート一覧ファイル５ＴＲの例を示す図である。
【００２２】
次に、下記の（Ａ）〜（Ｄ）の条件下で景品交換支援システムＫＳＹが使用される場合を例に、データセンタシステム１、店舗システム２、およびフロアネットワークＦＬにそれぞれ設けられている各装置をさらに詳細に説明する。
（Ａ）  販売レートの情報の配信者：金、銀、および白金などの貴金属地金の卸売または小売を行う貴金属商Ｓ。
（Ｂ）  販売レートの情報の配信先：各地のパチンコ店の店舗Ｔ１〜Ｔ３。以下、これらの店舗を「店舗Ｔ」と総称して記載することがある。
（Ｃ）  各店舗Ｔが顧客に提供する景品：所定の比率の成分の貴金属地金Ｇを包含する貴金属景品Ｋ。貴金属景品Ｋとして、２．０グラム、１．０グラム、０．５グラム、および０．３グラムの貴金属地金Ｇをそれぞれ包含する４タイプの貴金属景品Ｋ１、Ｋ２、Ｋ３、およびＫ４が用意されている。貴金属商Ｓは、貴金属景品Ｋを店舗Ｔ１〜Ｔ３に卸している。
（Ｄ）  配信する販売レートの対象：貴金属地金Ｇ。販売レートの単位は「１．０グラム」である。
【００２３】
販売レートデータ入力端末１２は、貴金属商Ｓの職員が貴金属地金Ｇの販売レートを入力するために使用される。
【００２４】
職員が販売レートデータ入力端末１２に対して所定のコマンドを入力すると、販売レートデータ入力端末１２は、販売レートの入力用の画面を表示する。ここで、職員が貴金属地金Ｇの販売レートつまり１．０ｇ当たりの販売価格を入力する。すると、販売レートデータ入力端末１２は、その販売レートおよび当日の日付を示す販売レートファイル５ＨＲを生成し販売レートファイル配信サーバ１１に送信する。
【００２５】
ところで、一般に、各種の貴金属地金の相場はほぼ毎日変化している。よって、貴金属地金Ｇの販売価格もそれに対応して変化する。また、一般に、貴金属商は貴金属地金の販売価格を午前９時３０分に発表することが多いが、パチンコ店は午前１０時頃に開店することが多い。そこで、貴金属商Ｓの職員は、貴金属地金Ｇの販売価格が決まったら直ちに貴金属地金Ｇの販売レートを入力する。
【００２６】
販売レートデータ入力端末１２として、パーソナルコンピュータまたはワークステーションなどが用いられる。
【００２７】
販売レートファイル配信サーバ１１は、図２に示すような販売レートファイル受信部１０１、販売レートファイル記憶部１０２、および販売レートファイル配信部１０３などを有し、貴金属地金Ｇの日々の販売レートを各店舗Ｔに通知するための処理を行う。
【００２８】
販売レートファイル受信部１０１は、販売レートデータ入力端末１２からの販売レートファイル５ＨＲを受信する処理を行う。この販売レートファイル５ＨＲは、販売レートファイル記憶部１０２に記憶される。
【００２９】
販売レートファイル配信部１０３は、販売レートファイル受信部１０１によって受信された販売レートファイル５ＨＲを、店舗Ｔ１〜Ｔ３それぞれの店舗クライアント２Ａに配信する。原則として、販売レートファイル５ＨＲが販売レートファイル受信部１０１によって受信されたら直ちにそれを送信（配信）する。ただし、送信先の店舗クライアント２Ａの属する店舗システム２がダイアルアップで通信回線ＮＷに適宜繋がる場合など、通信回線ＮＷに常時接続していない場合は、その店舗クライアント２Ａに送信できないことがある。そこで、店舗クライアント２Ａから要求があった場合にも、販売レートファイル記憶部１０２に記憶させておいた最新の販売レートファイル５ＨＲを送信する。
【００３０】
販売レートファイル配信サーバ１１として、いわゆるＰＣサーバまたはＵＮＩＸ（登録商標）サーバなどのサーバ機が用いられる。
【００３１】
なお、販売レートファイル受信部１０１ないし販売レートファイル配信部１０３の一部または全部を、ソフトウェアに基づいてハードウェアを制御することによって実現してもよいし、組込回路などのハードウェアのみによって実現してもよい。後に順次説明する店舗クライアント２Ａ、ＰＯＳ上位装置３Ａ、およびＰＯＳ端末３Ｂに設けられている各部についても同様である。
【００３２】
店舗クライアント２Ａは、図３に示すような標準交換レートデータ取得部２０１、標準交換レートファイル記憶部２０２、点数価値データ取得部２０３、点数価値ファイル記憶部２０４、販売レートファイル受信部２０５、当日交換標準点数決定部２０６、フロア別交換レート決定部２０７、および当日交換レートファイル配信部２０８などを有する。
【００３３】
店舗クライアント２Ａは、販売レートの情報をデータセンタシステム１から受け取る処理を行う。さらに、貴金属景品Ｋ１〜Ｋ４を１つ顧客に提供する際に顧客から引き取る点数（本実施形態では、玉の個数またはコインの枚数）、つまり、貴金属景品Ｋ１〜Ｋ４それぞれと点数との交換のレートに関する情報を、各フロアのフロアネットワークＦＬに対して通知する処理を行う。以下、貴金属景品Ｋと点数との交換のレートを「交換レート」と記載する。
【００３４】
標準交換レートデータ取得部２０１は、貴金属地金Ｇの販売レートごとの（様々な値の販売レートごとの）、貴金属景品Ｋ１〜Ｋ４のそれぞれについての交換レートを示すデータを、次のように取得する。
【００３５】
店舗Ｔ１〜Ｔ３は、１点（１玉、１枚）の引取時の標準的な価値、つまり、１点を何円相当の景品と交換するかの基準の価値を、独自に予め決めておく。以下、これを「引取時点数標準価値」と記載する。さらに、その引取時点数標準価値に応じた、貴金属地金Ｇの販売レートごとの、貴金属景品Ｋ１〜Ｋ４それぞれと点数との交換レート（つまり、１つの貴金属景品Ｋ１〜Ｋ４を交換するのに点数が何点必要か）を、予め決めておく。１点の引取時の価値がフロアごとに異なる場合であっても、ここでは、標準の価値を決め、それに応じた交換レートを決めておく。
【００３６】
店員が店舗クライアント２Ａに対して所定のコマンドを入力すると、標準交換レートデータ取得部２０１は、入力用の画面をディスプレイに表示させる。ここで、店員が、図４に示すような、貴金属地金Ｇの販売レートごとに応じた、貴金属景品Ｋ１〜Ｋ４についての交換レートを入力する。すると、標準交換レートデータ取得部２０１は、入力された情報を取得し、それを示す標準交換レートファイル５ＨＫを生成し標準交換レートファイル記憶部２０２に記憶させる。なお、図４の標準交換レートファイル５ＨＫは、引取時点数標準価値が４円である場合の例である。
【００３７】
または、標準交換レートデータ取得部２０１は、次の（１）式に基づいて、標準交換レートファイル５ＨＫを取得してもよい。
Ｅｒ＝αｒ・β／γ  ……  （１）
ただし、「ｒ」は、貴金属景品Ｋのタイプの番号であって、「１」〜「４」のいずれかの整数である。「αｒ」は、１つの貴金属景品Ｋｒに含まれる貴金属地金Ｇの質量（グラム数）である。「β」は、貴金属地金Ｇの販売レート［円／グラム］である。「γ」は、引取時点数標準価値［円／点］である。Ｅｒは、貴金属地金Ｇの販売レートがβでありかつ引取時点数標準価値がγである場合にαｒのタイプの貴金属景品Ｋ（つまり、貴金属景品Ｋｒ）を１つ交換するために必要な点数である。
【００３８】
本実施形態では含有する貴金属地金Ｇのグラム数が「２．０」、「１．０」、「０．５」、または「０．３」である４タイプの貴金属景品Ｋが用意されている。また、貴金属地金Ｇの販売レートが変動する範囲は景品交換支援システムＫＳＹの運用を開始する前であってもある程度予測できる。そこで、その店舗Ｔの引取時点数標準価値を（１）式のγに代入しておき、さらに、「２．０」、「１．０」、「０．５」、および「０．３」をαに順次代入し、貴金属地金Ｇの変動すると予測される範囲の販売レートの値（例えば、１０００円〜５０００円の各整数値）を順次代入することによって、標準交換レートファイル５ＨＫを得ることができる。よって、店員が自分の店舗Ｔの引取時点数標準価値、貴金属景品Ｋ１〜Ｋ４それぞれに含まれる貴金属地金Ｇのグラム数、および貴金属地金Ｇの変動すると予測される販売レートの範囲を入力すれば、標準交換レートデータ取得部２０１はそれに基づいて（１）式に従って標準交換レートファイル５ＨＫを生成する。
【００３９】
なお、標準交換レートファイル５ＨＫの内容は、必要に応じて変更することができる。変更の際に、標準交換レートデータ取得部２０１は、標準交換レートファイル５ＨＫの内容をディスプレイに表示させる。ここで、店員は、変更したい個所を指定し新たな内容を入力する。すると、標準交換レートデータ取得部２０１は、標準交換レートファイル５ＨＫを、店員が入力した内容に更新する。後に説明するフロア別点数価値ファイル５ＦＢも同様の方法によって変更可能である。
【００４０】
標準交換レートファイル記憶部２０２は、標準交換レートデータ取得部２０１によって取得された標準交換レートファイル５ＨＫを記憶する。
【００４１】
点数価値データ取得部２０３は、フロアごとの１点の引取時の価値つまり１点を何円相当の景品と交換するかを示すデータを、次のようの取得する。
【００４２】
店員が店舗クライアント２Ａに対して所定のコマンドを入力すると、点数価値データ取得部２０３は、入力用の画面をディスプレイに表示させる。ここで、店員が、図５に示すような、フロアごとの１点の引取時の価値を入力すると、点数価値データ取得部２０３は、その情報を取得し、その情報を示すフロア別点数価値ファイル５ＦＢを生成し点数価値ファイル記憶部２０４に記憶させる。
【００４３】
販売レートファイル受信部２０５は、データセンタシステム１の販売レートファイル配信サーバ１１から配信された販売レートファイル５ＨＲを受信する。
【００４４】
当日交換標準点数決定部２０６は、標準交換レートファイル記憶部２０２に記憶されている標準交換レートファイル５ＨＫと販売レートファイル受信部２０５によって受信された販売レートファイル５ＨＲとを照合することによって、当日の、その店舗Ｔにおける、貴金属景品Ｋ１〜Ｋ４を１つ交換するのに必要な標準の点数を、決定する。
【００４５】
すなわち、当日交換標準点数決定部２０６は、その標準交換レートファイル５ＨＫに示される一覧（図４参照）の中から、その販売レートファイル５ＨＲに示される販売レートに対応する行（レコード）を、検索する。そして、その行に示される各交換レートを、貴金属景品Ｋ１〜Ｋ４の当日の標準の交換レートに決定する。以下、当日の交換レートを「当日標準交換レート」と記載する。
【００４６】
例えば、販売レートファイル５ＨＲに示される販売レートが「２５００円」でありかつ標準交換レートファイル５ＨＫの内容が図４の通りである場合は、貴金属景品Ｋ１〜Ｋ４の当日標準交換レートをそれぞれ「１２５０点」、「６２５点」、「３１２点」、および「１８７点」に決定する。
【００４７】
フロア別交換レート決定部２０７は、当日交換標準点数決定部２０６によって決定したの当日標準交換レート、点数価値ファイル記憶部２０４に記憶されているフロア別点数価値ファイル５ＦＢ、および下記の（２）式に基づいて、各フロアで当日に適用する、貴金属景品Ｋ１〜Ｋ４それぞれの交換レートを決定する。
ＲＴｓ＝Ｘｓ×（Ｙｔ／Ｚ）  ……  （２）
ただし、「ｓ」は、貴金属景品Ｋのタイプの番号であって、「１」〜「４」のいずれかの整数である。「Ｘｓ」は、貴金属景品Ｋｓの当日標準交換レートである。「Ｙｔ」は、第ｔフロアにおける点数価値（図５参照）である。「Ｚ」は、その店舗Ｔにおける引取時点数標準価値である。ＲＴｓは、貴金属景品Ｋｓの第ｔフロアにおける当日の交換レートである。
【００４８】
この方法によって、図６に示すような、各フロアの当日の交換レートを示す当日交換レート一覧ファイル５ＴＲが得られる。
【００４９】
当日交換レートファイル配信部２０８は、各フロアのフロアネットワークＦＬのＰＯＳ上位装置３Ａに対して、フロア別交換レート決定部２０７によって得られた当日交換レート一覧ファイル５ＴＲに示される各々の当日の交換レートを示す当日交換レートファイル５ＴＫを配信する。例えば、第１フロアのフロアネットワークＦＬ（ＦＬ１）のＰＯＳ上位装置３Ａに対しては、第１フロアにおける貴金属景品Ｋ１〜Ｋ４それぞれの当日の交換レート（図６の例では、上から１番目のレコード）を示す当日交換レートファイル５ＴＫを配信（送信）する。
【００５０】
店舗クライアント２Ａとして、いわゆるＰＣサーバまたはＵＮＩＸサーバなどのサーバ機が用いられる。パーソナルコンピュータまたはワークステーションを用いることもできる。次に説明するＰＯＳ上位装置３Ａも同様である。
【００５１】
ＰＯＳ上位装置３Ａは、フロアネットワークＦＬの中の各ＰＯＳ端末３Ｂを管理する。ＰＯＳ上位装置３Ａは、図３に示すように、当日交換レートファイル受信部３０１および当日交換レートファイル配信部３０２を有する。
【００５２】
当日交換レートファイル受信部３０１は、店舗クライアント２Ａから配信された当日交換レートファイル５ＴＫを受信する。または、自ら自発的に店舗クライアント２Ａに対して当日交換レートファイル５ＴＫを要求し、これを受信する。
【００５３】
当日交換レートファイル配信部３０２は、同じフロアネットワークＦＬに設けられている各ＰＯＳ端末３Ｂに、最新の交換レートを適用するために、当日交換レートファイル受信部３０１によって受信された当日交換レートファイル５ＴＫを配信する。
【００５４】
ＰＯＳ端末３Ｂは、点数と引換えに顧客に景品を渡す際に店員が使用する端末装置である。ＰＯＳ端末３Ｂのハードウェア構成およびソフトウェア構成は、基本的に、パチンコ店の景品交換用の既存のＰＯＳ端末のそれらと同様である。ただし、貴金属景品Ｋ１〜Ｋ４を交換する際は、その交換レートとして、ＰＯＳ上位装置３Ａから受信した最新の当日交換レートファイル５ＴＫに示される交換レートが適用される。
【００５５】
または、最新の当日交換レートファイル５ＴＫをＰＯＳ上位装置３Ａに常時保存しておき、貴金属景品Ｋと点数とを交換する必要が生じるごとに、ＰＯＳ端末３ＢがＰＯＳ上位装置３Ａにアクセスし、当日交換レートファイル５ＴＫを参照するように構成してもよい。または、ＰＯＳ端末３Ｂの電源をオンにするごとに、ＰＯＳ端末３ＢがＰＯＳ上位装置３Ａにアクセスし、当日交換レートファイル５ＴＫを参照するように構成してもよい。
【００５６】
図７は景品交換支援システムＫＳＹの処理の流れおよびデータの流れを示す図である。次に、景品交換支援システムＫＳＹの全体的な処理の流れを、図７を参照して説明する。
【００５７】
店舗Ｔ１〜Ｔ３は、店舗クライアント２Ａの運用を開始する前に、それぞれ独自に、標準交換レートファイル５ＨＫ（図４参照）およびフロア別点数価値ファイル５ＦＢ（図５参照）を自らの店舗クライアント２Ａに登録しておく（丸数字１）。
【００５８】
貴金属商Ｓは、毎日９時半ごろに、当日の最新の相場に基づいて貴金属地金Ｇの販売レートを決定し、それを販売レートデータ入力端末１２に入力する（丸数字２）。すると、販売レートデータ入力端末１２は、その販売レートを示す販売レートファイル５ＨＲを販売レートファイル配信サーバ１１に送信する（丸数字３）。販売レートファイル配信サーバ１１は、店舗Ｔ１〜Ｔ３それぞれの店舗クライアント２Ａに、この販売レートファイル５ＨＲを配信する（丸数字４）。
【００５９】
店舗Ｔ１において、店舗クライアント２Ａは、原則として毎日、この販売レートファイル５ＨＲを受信するごとに、当日標準交換レートを決定し、さらに、各フロアで当日に適用する、貴金属景品Ｋ１〜Ｋ４それぞれの交換レートを決定する（丸数字５）。各フロアのＰＯＳ上位装置３Ａに、そのフロアで当日に適用する貴金属景品Ｋ１〜Ｋ４それぞれの交換レートを示す当日交換レートファイル５ＴＫを送信する（丸数字６）。
【００６０】
各フロアのＰＯＳ上位装置３Ａは、自フロアの当日交換レートファイル５ＴＫを受信すると、自フロアに設けられている各ＰＯＳ端末３Ｂにそれを配信する（丸数字７）。そして、当日は、その当日交換レートファイル５ＴＫに基づいて、景品の交換の業務が行われる。
【００６１】
店舗Ｔ２、Ｔ３においても、上述の店舗Ｔ１と同様の処理が行われる。つまり、店舗独自の当日標準交換レートが決定され、さらに、各フロアで当日に適用する、貴金属景品Ｋ１〜Ｋ４それぞれの交換レートが決定される。そして、それぞれのフロアにそれが通知される。
【００６２】
本実施形態によると、点数と景品との交換のレートの変更を簡単に行うことができる。また、一般に貴金属地金の価格の決定の時刻とパチンコ店の開店の時刻とが近接しているが、本実施形態によると、貴金属地金Ｇの価格の入力に伴って直ちに自動的に交換のレートを変更できるので、適切なレートを直ちに適用できるとともに、店員の焦りによるレートの設定ミスをなくすことができる。
【００６３】
本実施形態では、原則として一日に一度、販売レートの入力およびそれに伴う交換レートの適用を行ったが、一日に複数回、所定の時刻ごと行ってもよい。または、貴金属地金Ｇの販売レートが変動するごとに行ってもよい。
【００６４】
本実施形態では、貴金属景品Ｋを交換用の景品として用いた場合を例に説明したが、輸入品などを景品として用いた場合にも、本発明を適用することが可能である。
【００６５】
本実施形態では、データセンタシステム１を販売レートファイル配信サーバ１１および販売レートデータ入力端末１２によって構成したが、販売レートファイル配信サーバ１１および販売レートデータ入力端末１２の機能を１台の装置で実現してもよい。同様に、店舗クライアント２Ａおよび各フロアのＰＯＳ上位装置３Ａを１台の装置で実現してもよい。
【００６６】
その他、景品交換支援システムＫＳＹ、データセンタシステム１、販売レートファイル配信サーバ１１、販売レートデータ入力端末１２、店舗システム２、店舗クライアント２Ａ、ＰＯＳ上位装置３Ａ、ＰＯＳ端末３Ｂの全体または各部の構成、処理内容、処理順序、ファイルの構成などは、本発明の趣旨に沿って適宜変更することができる。
【図面の簡単な説明】
【００６７】
【図１】景品交換支援システムの全体的な構成の例を示す図である。
【図２】販売レートファイル配信サーバの機能的構成の例を示す図である。
【図３】店舗クライアントおよびＰＯＳ上位装置の機能的構成の例を示す図である。
【図４】標準交換レートファイルの例を示す図である。
【図５】フロア別点数価値ファイルの例を示す図である。
【図６】当日交換レート一覧ファイルの例を示す図である。
【図７】景品交換支援システムの処理の流れおよびデータの流れを示す図である。
【符号の説明】
【００６８】
ＫＳＹ  景品交換支援システム（景品提供支援システム）
１  データセンタシステム（第二の事業者）
１１  販売レートファイル配信サーバ（価格通知手段）
２  店舗システム（第一のシステム、景品提供事業者支援システム）
１２  販売レートデータ入力端末（価格入力手段）
２Ａ  店舗クライアント（必要点数算出手段、点数価値記憶手段）
３Ａ  ＰＯＳ上位装置（適用処理手段）
３Ｂ  ＰＯＳ端末（端末装置）
５ＦＢ  フロア別点数価値ファイル
５ＨＲ  販売レートファイル
５ＴＲ  当日交換レート一覧ファイル
【図１】
0005305624.tif 000002
【図２】
0005305624.tif 000003
【図３】
0005305624.tif 000004
【図４】
0005305624.tif 000005
【図５】
0005305624.tif 000006
【図６】
0005305624.tif 000007
【図７】
0005305624.tif 000008